(57)【要約】      （修正有）【課題】肌触りが良く且つ保温効果の高い保温具を提供する。【解決手段】人の四肢をそれぞれ４個の袋体２で被覆する保温具は、袋体２が上肢の収まる上肢袋３と、下肢の収まる下肢袋４との２種類があり、何れも吸湿発熱繊維糸と絹糸を交編したニット生地を縫製してループ状にして絡ませながら編み上げる。【選択図】図１
0003224206.tif 000002
【実用新案登録請求の範囲】
【請求項１】
人の四肢をそれぞれ４個の袋体で被覆する保温具であって、
前記袋体は、上肢が収まる上肢袋と、下肢が収まる下肢袋との２種類があり、何れも吸湿発熱繊維糸と絹糸を交編したニット生地を縫製して編み上げて成る保温具。
【請求項２】
前記上肢袋は、肘より先の前腕及び手の各部位が収まる長さで編み上げて成る請求項１に記載の保温具。
【請求項３】
前記下肢袋は、膝より先の下腿及び足の各部位が収まる長さで編み上げて成る請求項１に記載の保温具。
【請求項４】
吸湿発熱繊維糸と絹糸を交編したニット生地を縫製してループ状にして絡ませながら筒状に編み上げて成るサポーターを備えて、
前記サポーターの筒の長さは人の頭部に被せたとき両目、両耳、こめかみ、首のうなじの部分を被覆可能な寸法を有する請求項１乃至３の何れか１項に記載の保温具。
【請求項５】
前記糸は、絹の比率を８０％から２０％の範囲とし、残余の２０％から８０％を吸湿発熱繊維とする請求項1乃至４の何れか１項に記載の保温具。
【請求項６】
前記糸は、さらにゴム糸を加えて紡績した糸である請求項1乃至５の何れか１項に記載の保温具。
【考案の詳細な説明】
【技術分野】
【０００１】
本考案は、四肢に着用する保温具に関し、特に高血圧の改善に有効な保温具に関する。
【背景技術】
【０００２】
高血圧の原因として、血管が収縮すると血液が流れにくくなり、心臓が血液を押し出す力が血管壁に強くかかり、血圧が上がる。また、心臓の拍出量が増えて血液量が過剰になると、血管壁にかかる力が増すために、血圧が上がる。よって、高血圧の改善の有効なものの一つとして、適度な有酸素運動で降圧効果が得られる、とされている。
【０００３】
人の体は、重要な臓器が集まるからだの中心部を３７度前後の一定の温度に保とうとしており、特に寒いときなどは、体の中心部に血液を集めて、体温を維持しようとしている。そのため末端である体の中心部から離れている手足には血液が行き渡りにくく、心臓が血液を押し出す力が血管壁に強くかかり、血圧が上がる。そこで、有酸素運動を行えば、手足に血液が行き届くようになり、高血圧が改善される。しかし、有酸素運動は、体への負荷がかかり過ぎないよう注意しなければならず加減が難しく、高齢者にはリスクとなる。
【０００４】
一方、有酸素以外に、手足を温めて末梢血管を拡張することでも降圧効果が得られる。手足の保温について知られているのは、足の裏に当接する底部と、足の甲及び踵を覆うアッパーとを備えて、底部及びアッパーは、何れも、外側が気密性の素材で形成された外側部材と、内側がアルミシートである内側部材と、この内側部材と前記外側部材との間に設けられる断熱材とを有する保温用履物、及び手の表に当接する表部と、前記手の裏に当接する裏部とを備えて、表部及び裏部は、何れも、外側が気密性の素材で形成された外側部材と、内側がアルミシートである内側部材と、この内側部材と前記外側部材との間に設けられる断熱材とを有する保温用上肢袋がある（例えば、特許文献１を参照）。
【先行技術文献】
【特許文献】
【０００５】
【特許文献１】実用新案登録第３１２８８７５号公報
【考案の概要】
【考案が解決しようとする課題】
【０００６】
しかしながら、高血圧の改善を目的として保温するには長時間の着用、望ましくは就寝中を通じて着用しているのが効果的である。その点において、従来知られている保温用の履物や上肢袋は、主に防寒用に利用されるもので気密性が高く、長時間使用するには不快であり、就寝中ずっと着用すると反って寝苦しく休養にならない。
【０００７】
上記点から本考案は、肌触りが良く且つ保温効果の高い保温具を提供することを目的としている。
【課題を解決するための手段】
【０００８】
上記課題を解決するために、本考案は、人の四肢をそれぞれ４個の袋体で被覆する保温具であって、前記袋体は、上肢が収まる上肢袋と、下肢が収まる下肢袋との２種類があり、何れも吸湿発熱繊維糸と絹糸を交編したニット生地を縫製して成る。
【０００９】
ここで、前記上肢袋は、少なくとも肘より先の前腕及び手の各部位が収まる長さであってもよい。また、前記下肢袋は、膝より先の下腿及び足の各部位が収まる長さであってもよい。
【００１０】
加えて、吸湿発熱繊維糸と絹糸を交編したニット生地を縫製して筒状に編み上げて成るサポーターを備えて、前記サポーターの筒の長さは人の頭部に被せたとき両目、両耳、こめかみ、首のうなじの部分を被覆可能な寸法を有する。かかるサポーターを睡眠時に着用することで、頸部のツボや両目の周辺が温まり副交感神経の活性化を促すことで、スムーズに眠りに入り易くすることができる。
【００１１】
そして、前記糸は、絹の比率を８０％から２０％の範囲とし、残余の２０％から８０％を吸湿発熱繊維とするとよい。さらには、前記糸にゴム糸を加えることで伸縮性が得られる。
【考案の効果】
【００１２】
本考案による保温具は、吸湿発熱繊維による発熱機能と、保湿性、吸湿性、通気性に優れるシルクの肌触りの良さとで、肌に長時間接しても利用者に不快感を与えることがなく高い保温性が得られる。よって、手足が温まることで、手足の末梢血管が広がり高血圧が改善される。
【図面の簡単な説明】
【００１３】
【図１】本考案に係る保温具の説明図を示す。
【図２】図１の保温具の上肢袋の一例を示す。
【図３】図１の保温具の下肢袋の一例を示す。
【図４】本考案に係る保温具を就寝時に着用して起床後の血圧の最高値の６０日間での各日の推移の説明図を示す。
【図５】保温具に使用するサポーターの外観図を示す。
【図６】サポーターの使用形態の説明図を示す。
【考案を実施するための形態】
【００１４】
以下、本考案の実施の形態を図面に基づき具体的に説明する。図１は、本考案による保温具１を示しており、四肢が収まる４つの袋体２で構成される。袋体２は、上肢袋３及び下肢袋４の２通りがあって、上肢袋３は、上腕・前腕・手が収まり、下肢袋４は、大腿・下腿・足が収まる。上肢袋３と下肢袋４は、それぞれが水分を吸収して発熱する吸湿発熱繊維糸と絹糸を交編したニット生地を縫製して作製される。このときの吸湿発熱繊維と絹との混率は、絹の比率を８０％から２０％の範囲とし、残余の２０％から８０％を吸湿発熱繊維とする。
【００１５】
上肢袋３は図２に示すように、上肢のうち肘より先の前腕と手の部位が収まる長さであってもよく、下肢袋４は図３に示すように、下肢のうち膝より先の下腿と足の部位が収まる長さであってもよい。このように肘と膝が袋体２より露出させた方が関節を曲げやすく、長時間の着用に適する。尚、袋体２が肘や膝が収まる長さであっても、利用者が好みに応じて折り返して使用してもよい。
【００１６】
また、袋体２の手や足が収まる底の部分は、親指だけを分離して収める二股タイプや５本の指を分離させて収めるタイプであってもよい。図２は、親指だけを分離して収めるミトンの上肢袋３の例を示し、図３は、５本の指を分離させて収める下肢袋４の例で説明している。
【００１７】
吸湿発熱繊維は、物質が水分を吸着した時に熱を発するという特性（吸着熱）を利用したもので、詳細には、水分が繊維表面の水酸基などに吸着されて運動エネルギーを熱エネルギーに変換する繊維である。発熱素材にはアクリル系素材やキュプラを使用した素材など多様な種類があるが、軽量性、ストレッチ性などを備えた素材が最適である。
【００１８】
シルクは、肌ざわりの良さに加え、豊かな吸湿性や通気性、保温性を有する素材である。
【００１９】
かかる特徴を備える吸湿発熱繊維糸と絹糸を交編したニット生地を縫製して作製される袋体２を上肢及び下肢に着用すると、吸湿発熱繊維が汗を吸収して発熱することで保温効果が高まる。さらには、シルクの吸湿性及び通気性から肌触りがよく、保温と同時に快適性が保たれるため就寝中に着用しても不快を感じることがない。そして、このように吸湿発熱繊維糸と絹糸を交編したニット生地を縫製して作製される袋体２は、樹脂製の保温材を使用したものと比べて薄くなるため動きやすい。
【００２０】
上肢袋３によって、少なくとも前腕と手を保温することで、手への血流が高まり効果的に保温される。また、下肢袋４によって、少なくとも下腿と足を保温することで、下腿のふくらはぎの部位は第２の心臓と言われ、重力によって下半身にたまった血液を心臓に戻すポンプの働きをするため、温めることで全身の血流が良くなる。この場合、ふくらはぎの深層部の血流がよくなることで血流が改善されるが、ふくらはぎは表面温度が低く、温まるのに時間がかかる。したがって、下肢袋４を就寝中の長時間にわたり着用すれば一層効果的である。
【００２１】
このように、吸湿発熱繊維とシルクの特徴を相互作用で効果的に引き出すには、吸湿発熱繊維と絹との最適な混率は、絹が６０％で吸湿発熱繊維が４０％の比率がよい。そして、袋体２を着用するときの伸縮性や肌への密着性を向上させるために、更にゴム糸を加えることができる。しかし、過度の収縮性は部位を締めすぎることになって血流を悪化させる。また、保温するには袋体２は皮膚と間に余裕を持たせて空気層を持たせることも必要であり、ゴム糸の混率を２％から３％とすることで、袋体２がずれることがなく適度な締め付け力が発現される。よって、ゴム糸を含有させるときには、絹６０％に対しゴム糸が上記の２％から３％、残余を吸湿発熱繊維とするのが適切である。
【００２２】
図４は、両手と両足にそれぞれ上肢袋３及び下肢袋４を着用して就寝し、起床から３０分経過後に測定した最高血圧値の６０日間の各日にちでの推移を示している。同図において、初日最高血圧値は１５８ｍｍＨｇ、そして６０日目の最高血圧値は１３４ｍｍＨｇであるが、この間に初日の１５８ｍｍＨｇを超える日も数日あり日毎の変動幅も大きいが、後半は変動幅が少なく安定して最高血圧値も下降しているのが分かる。よって、本考案による保温具１を着用して就寝することで睡眠中に手足が温められ末梢血管が拡張されて、血圧を下げる効果をもたらすことがこの結果から確認できた。
【００２３】
また、四肢の保温に加えて、両目、両耳、こめかみ、首のうなじの部分も保温すると一層効果的である。別の実施形態の保温具１は、上肢袋３や下肢袋４に加えて、図５に示すように、吸湿発熱繊維糸と絹糸を交編したニット生地を縫製してループ状にして絡ませながら筒状に編み上げて成るサポーター５を備える。サポーター５の筒の直径Ｗと高さＬは、人の頭部に被せて両目、両耳、こめかみ、首のうなじの部分を被覆可能な寸法とする。サポーター５においても吸湿発熱繊維と絹との最適な混率は、絹が６０％で吸湿発熱繊維が４０％の比率が最適であり、ゴム糸を含有させるときには、絹６０％に対しゴム糸が上記の２％から３％、残余を吸湿発熱繊維とするのがよい。
【００２４】
上記構成のサポーター５は、図６に示すように、人の両目、両耳、こめかみ、首のうなじの部分を被覆するよう頭部に被せたとき、両目及びこめかみの周辺と耳が温められ筋肉が弛緩して血行が良くなる。目の周辺には、さん竹、瞳子りょう、睛明の各ツボがあり、また、耳には自律神経の交感神経と副交感神経とを調整するツボである神門やその他の体の各部位のツボが密集しており、これらのツボが温められることで血流が促されてリラックスでき、疲れ目や眼精疲労等の回復にもなる。
【００２５】
サポーター５を頭部に被せて就寝すると、副交感神経が優位となって快眠につながる。そして、吸湿発熱繊維とシルクを素材にしているため、生地が薄手で軽量且つストレッチ性を有しているため違和感なく着用できて、就寝の妨げとなることもない。
【００２６】
以上の構成の保温具１によれば、吸湿発熱繊維糸と絹糸を交編したニット生地を縫製して作製される上肢袋３及び下肢袋４を着用することで、体の中心部から離れた四肢を温める効果がある。これによって、手に血液が行き届くようになり、末梢血管が広がり血流への抵抗が下がり高血圧が改善される。
【符号の説明】
【００２７】
１      保温具
２      袋体
３      上肢袋
４      下肢袋
５      サポーター
【図１】
0003224206.tif 000003
【図２】
0003224206.tif 000004
【図３】
0003224206.tif 000005
【図４】
0003224206.tif 000006
【図５】
0003224206.tif 000007
【図６】
0003224206.tif 000008
【手続補正書】
【提出日】令和1年10月2日(2019.10.2)
【手続補正１】
【補正対象書類名】実用新案登録請求の範囲
【補正対象項目名】全文
【補正方法】変更
【補正の内容】
【実用新案登録請求の範囲】
【請求項１】
人の四肢をそれぞれ４個の袋体で被覆する保温具であって、
前記袋体は、上肢が収まる上肢袋と、下肢が収まる下肢袋との２種類があり、何れも吸湿発熱繊維糸と絹糸を交編したニット生地を縫製して編み上げて成る保温具。
【請求項２】
前記上肢袋は、肘より先の前腕及び手の各部位が収まる長さで編み上げて成る請求項１に記載の保温具。
【請求項３】
前記下肢袋は、膝より先の下腿及び足の各部位が収まる長さで編み上げて成る請求項１に記載の保温具。
【請求項４】
吸湿発熱繊維糸と絹糸を交編したニット生地を縫製してループ状にして絡ませながら筒状に編み上げて成るサポーターを備えて、
前記サポーターの筒の長さは人の頭部に被せたとき両目、両耳、こめかみ、首のうなじの部分を被覆可能な寸法を有する請求項１乃至３の何れか１項に記載の保温具。
【請求項５】
前記ニット生地は、絹の比率を８０％から２０％の範囲とし、残余の２０％から８０％を吸湿発熱繊維とする請求項１乃至４の何れか１項に記載の保温具。
【請求項６】
前記ニット生地は、さらにゴム糸を加えて交編される請求項１乃至５の何れか１項に記載の保温具。
【手続補正２】
【補正対象書類名】明細書
【補正対象項目名】００１１
【補正方法】変更
【補正の内容】
【００１１】
そして、前記ニット生地は、絹の比率を８０％から２０％の範囲とし、残余の２０％から８０％を吸湿発熱繊維とするとよい。さらには、前記ニット生地にゴム糸を加えて交編することで伸縮性が得られる。